(57)【要約】      （修正有）【課題】先端に相当重量の重りを連結した係留索を安全且つ効率的に船上から海中へ送り出し又は海中から船上へ引き上げるための移送装置を提供する。【解決手段】先端に重りを連結した係留索４を船上から海中へ送り出し又は海中から船上へ引き上げるための移送装置１であって、船上で略水平方向に延びる係留索の一部を把持するための第１把持手段６を備えた本機５と、該本機から離れた位置で係留索の他の一部を把持するための第２把持手段８を備え、係留索を移送する方向に往復運動を繰り返す移動機７とからなり、本機が第１把持手段を解除し、移動機が第２把持手段で係留索を把持しながら移動して係留索を移送する工程と、本機が第１把持手段で係留索を把持し、移動機が第２把持手段を解除して移動し係留索を移送する前の位置へ戻る工程を繰り返すことにより、先端に重りのついた係留索を送り出し又は引き上げることを特徴とする移送装置。【選択図】図２
2013132957.tif 000002
【特許請求の範囲】
【請求項１】
先端に重りを連結した係留索を船上から海中へ送り出し又は海中から船上へ引き上げるための移送装置であって、船上で略水平方向に延びる係留索の一部を把持するための第１把持手段を備えた本機と、該本機から離れた位置で係留索の他の一部を把持するための第２把持手段を備え、係留索を移送する方向に往復運動を繰り返す移動機とからなり、本機が第１把持手段を解除し、移動機が第２把持手段で係留索を把持しながら移動して係留索を移送する工程と、本機が第１把持手段で係留索を把持し、移動機が第２把持手段を解除して移動し係留索を移送する前の位置へ戻る工程を繰り返すことにより、先端に重りのついた係留索を送り出し又は引き上げることを特徴とする移送装置。
【請求項２】
船上で略水平方向に延びる係留索の一部を把持するための第１把持手段を備えた本機と、該本機から離れた位置で係留索の他の一部を把持するための第２把持手段を備え、係留索を送り出す方向に往復運動を繰り返す移動機とからなり、本機が第１把持手段を解除し、移動機が第２把持手段で係留索を把持しながら移動して係留索を送り出す工程と、本機が第１把持手段で係留索を把持し、移動機が第２把持手段を解除して移動し係留索を送り出す前の位置へ戻る工程を繰り返すことにより、先端に重りのついた係留索を船上から海中へ送り出すことを特徴とする請求項１記載の移送装置。
【請求項３】
係留索が金属輪の開口に隣の金属輪が挿通して連結してなる鎖からなり、第１把持手段及び／又は第２把持手段が、ストッパ板の先端を金属輪の開口面上に配置し、該金属輪の隣の金属輪の外周にストッパ板の先端縁又は板面を当接することにより係留索を把持することを特徴とする請求項１又は２記載の移送装置。
【請求項４】
本機と移動機とを油圧シリンダで連結し、油圧シリンダの伸縮により移動機が本機に対して伸縮運動を繰り返すことを特徴とする請求項１乃至３のいずれかに記載の移送装置。
【請求項５】
請求項１乃至４のいずれかに記載する移送装置とターンテーブルを船上に備え、移送装置で船上から海中へ送り出す又は海中から船上へ引き上げた係留索をターンテーブル上に巻いて貯蔵することを特徴とする作業船。
【請求項６】
請求項１乃至４のいずれかに記載する移送装置と、滑り台、ジプシーホイール又はチェーンパイプのいずれかを船上に備え、移送装置により移送される係留索が船縁に設置した滑り台、ジプシーホイール又はチェーンパイプのいずれかを経由して船上から海中へ送り出し又は海中から船上へ引き上げられることを特徴とする作業船。
【請求項７】
請求項１乃至４のいずれかに記載する移送装置を使用して、先端に重りを連結した係留索を船上から海中へ送り出し又は海中から船上へ引き上げる移送方法。
【発明の詳細な説明】
【技術分野】
【０００１】
本発明は、先端に重りを連結した係留索を船上から海中へ送り出し又は海中から船上へ引き上げるための移送装置に関する。
【背景技術】
【０００２】
近年、環境保護の観点から自然エネルギーの有効活用を図るべく、自然風を利用して発電を行う風力発電が注目されている。特に、海上の風を利用する洋上風力発電は、騒音や敷地に関する問題が無く、また陸上に比べて風力が安定して得られ高い発電量が期待できる等の理由から次期エネルギー資源として有効である。
【０００３】
洋上風力発電では、発電設備を洋上に浮かべて固定するため(特許文献１、２)、先端にシンカーやアンカー等の重りを連結した係留索を船上から送り出し、重りとともに海底に沈めた複数の係留索の後端を洋上に浮かぶ発電設備に連結するが(図３)、このような係留索は、海流等の潮流に流されることがないよう強度と重さを備えたもので、数百トンもの重量に及ぶものである。したがって、このような相当重量のある係留索を船上から海中へに送り出す、あるいは海中から船上へ回収する際に用いる作業設備が問題となる。
【０００４】
洋上で重りの付いた係留索を海中に投入する作業を行う場合、一般的には船体にクレーンを備えた作業船(特許文献３)を使用することが考えられるが、クレーンのワイヤーで係留索に連結した重りを吊り上げ係留索とともに海中に投入したとしても、海底に沈んだ重りからワイヤーを取り外す必要があるため、この作業を行うための設備あるいは労力が新たに必要となる。さらに、相当重量の重りをクレーンで吊り上げて移動すれば、船が不安定となり揺れが大きくなるため作業が困難となるばかりか、事故等が生じる危険性もある。また、ウインチ等の巻き上げ装置を使用するとしても巻き上げ装置では回転トルクが不足し、１台の巻き上げ装置では重りがついた係留索を船上から海中に円滑に送り出すことができないため、結局、係留索に複数のワイヤーを取り付け、これらのワイヤーを複数の巻き上げ装置を用いて徐々に繰り出し、一定の距離を移送するごとに係留索へ取り付けたワイヤーの取り付け位置を移動していく作業が必要となり、多大な時間と労力が必要となる。
【０００５】
したがって、先端に相当重量の重りを連結した係留索を安全且つ効率的に船上から海中へ送り出し又は海中から船上へ引き上げることができる移送装置の開発が期待される。
【先行技術文献】
【特許文献】
【０００６】
【特許文献１】特開２０１０−２２４１１４号公報
【特許文献２】特開２００２−１８８５５７号公報
【特許文献３】特開２０１０−７００２５号公報
【発明の概要】
【発明が解決しようとする課題】
【０００７】
本発明は、先端に相当重量の重りを連結した係留索を安全且つ効率的に船上から海中へ送り出し又は海中から船上へ引き上げるための移送装置を提供することを目的とする。
【課題を解決するための手段】
【０００８】
前記課題を解決するために本発明者が検討を行った結果、略水平方向に延びる係留索の一部を把持するための第１把持手段を備えた本機と、該本機から離れた位置で係留索の他の一部を把持するための第２把持手段を備え、係留索の移送する方向に往復運動を繰り返す移動機を設置し、本機が第１把持手段を解除し、移動機が第２把持手段で係留索を把持しながら移動して係留索を移送する工程と、本機が第１把持手段で係留索を把持し、移動機が第２把持手段を解除して移動し係留索を移送する前の位置へ戻る工程を繰り返すことにより、係留索を安全且つ効率的に移送できることを見出し、本発明を完成するに至った。
【０００９】
すなわち本発明は、先端に重りを連結した係留索を船上から海中へ送り出し又は海中から船上へ引き上げるための移送装置であって、船上で略水平方向に延びる係留索の一部を把持するための第１把持手段を備えた本機と、該本機から離れた位置で係留索の他の一部を把持するための第２把持手段を備え、係留索を移送する方向に往復運動を繰り返す移動機とからなり、本機が第１把持手段を解除し、移動機が第２把持手段で係留索を把持しながら移動して係留索を移送する工程と、本機が第１把持手段で係留索を把持し、移動機が第２把持手段を解除して移動し係留索を移送する前の位置へ戻る工程を繰り返すことにより、先端に重りのついた係留索を送り出し又は引き上げることを特徴とする移送装置である。
【００１０】
さらに本発明は、船上で略水平方向に延びる係留索の一部を把持するための第１把持手段を備えた本機と、該本機から離れた位置で係留索の他の一部を把持するための第２把持手段を備え、係留索を送り出す方向に往復運動を繰り返す移動機とからなり、本機が第１把持手段を解除し、移動機が第２把持手段で係留索を把持しながら移動して係留索を送り出す工程と、本機が第１把持手段で係留索を把持し、移動機が第２把持手段を解除して移動し係留索を送り出す前の位置へ戻る工程を繰り返すことにより、先端に重りのついた係留索を船上から海中へ送り出すことを特徴とする移送装置である。
【００１１】
さらに本発明は、係留索が金属輪の開口に隣の金属輪が挿通して連結してなる鎖からなり、第１把持手段及び／又は第２把持手段が、ストッパ板の先端を金属輪の開口面上に配置し、該金属輪の隣の金属輪の外周にストッパ板の先端縁又は板面を当接することにより係留索を把持することを特徴とする移送装置である。
【００１２】
さらに本発明は、本機と移動機とを油圧シリンダで連結し、油圧シリンダの伸縮により移動機が本機に対して伸縮運動を繰り返すことを特徴とする移送装置である。
【００１３】
また本発明は、前記の移送装置とターンテーブルを船上に備え、移送装置で船上から海中へ送り出す又は海中から船上へ引き上げた係留索をターンテーブル上に巻いて貯蔵することを特徴とする作業船である。
【００１４】
さらに本発明は、前記の移送装置と、滑り台、ジプシーホイール又はチェーンパイプのいずれかを船上に備え、移送装置により移送される係留索が船縁に設置した滑り台、ジプシーホイール又はチェーンパイプのいずれかを経由して船上から海中へ送り出し又は海中から船上へ引き上げられることを特徴とする作業船である。
【００１５】
また本発明は、前記の移送装置を使用して、先端に重りを連結した係留索を船上から海中へ送り出し又は海中から船上へ引き上げる移送方法である。
【発明の効果】
【００１６】
本発明の移送装置によれば、先端に重りを連結した相当重量の係留索を安全且つ効率的に船上から海中へ送り出し又は海中から船上へ引き上げることができる。
【００１７】
また本発明の移送装置によれば、あらゆる重さやあらゆる長さの係留索を送り出し又は引き上げることができるため、海の深さや潮流の速さに応じた係留索をすみやかに海中に投入することができ、海洋上の広い範囲で洋上風力発電設備を円滑に設置することが可能となる。
【図面の簡単な説明】
【００１８】
【図１】移送装置を備えた作業船を示す図((ａ)正面図、(ｂ)側面図、(ｃ)平面図)
【図２】移送装置の構造を示す図((ａ)平面図)、(ｂ)側面図)
【図３】移送装置の作動状態を示す図
【図４】風力発電設備を海洋上に設置した状態を示す図((ａ)側面図、(ｂ)平面図)
【発明を実施するための形態】
【００１９】
本発明の移送装置を図面にもとづいて詳しく説明する。
【００２０】
本発明の移送装置(１)は、図１に示すように作業船上(２)に設置され、先端に相当重量の重り(３)を連結した係留索(４)を安全且つ効率的に船上から海中へ送り出し又は海中から船上へ引き上げるための装置である。移送装置(１)は、図２に示すように、船上で略水平方向に延びる係留索(４)の一部を把持するための第１把持手段(６)を備えた本機(５)と、当該本機から離れた位置で係留索(４)の他の一部を把持するための第２把持手段(８)を備え、係留索を移送する方向に往復運動を繰り返す移動機(７)とからなる。
【００２１】
係留索(４)の移送は、本機(５)が第１把持手段(６)を解除し、移動機(７)が第２把持手段(８)で係留索(４)を把持しながら移動して係留索を移送する工程と、本機(５)が第１把持手段(６)で係留索(４)を把持し、移動機(７)が第２把持手段(８)を解除して移動し係留索を移送する前の位置へ戻る工程を繰り返すことにより行う。
【００２２】
係留索は、鎖やワイヤーロープなど発電設備を設置する環境に適したものを適宜選択して用いることができるが、海流に抗して発電設備を固定するためには、相当の強度と重量が必要であること、また折り畳みが自在で船上での収容が容易であること、さらに製造が容易で生産性が高く入手が容易であることから金属輪の開口に隣の金属輪が挿通して連結してなる鎖を用いることが好ましい。
【００２３】
係留索として金属輪の開口に隣の金属輪が挿通して連結してなる鎖を用いる場合には、図２に示すように、第１把持手段(６)及び／又は第２把持手段(８)として本機(５)及び／又は移動機(７)に回動可能に取り付けたストッパ板(6a,8a)を油圧シリンダ(6b,8b)で回動し、ストッパ板の先端を金属輪の開口面上(4a)に配置することで鎖を把持することができる。金属輪の開口面上(4a)にあるストッパ板は、当該金属輪の隣の金属輪の外周(4b)にストッパ板の先端縁又は板面を当接することにより鎖を固定する。この場合、係留索(鎖)(４)は移動台座(8c)の上面に当接しているため、係留索(鎖)が下方向に移動するなどしてストッパ板による固定が外れることはない。図２は、第１把持手段(６)と第２把持手段(８)の双方に、それぞれ第１ストッパ板(6a)と第２ストッパ板(8a)を備えた移送装置(１)を示す。
【００２４】
例えば、係留索(鎖)を船上から海中に送り出す場合には、図３に示すように、本機(５)が油圧シリンダ(6b)で第１ストッパ板(6a)を回動して板の先端を引き上げ、第１把持手段(６)を解除するとともに、移動機(７)の油圧シリンダ(8b)で第２ストッパ板(8a)を回動し、板の先端を係留索(鎖)(４)の金属輪の開口面上(4a)に押し下げることで隣の金属輪の外周面(4b)にストッパ板(8a)の先端縁又は板面を当接させて係留索(鎖)(４)を把持し、重りによる重力に抵抗しながら移動機(７)が移動して係留索を送り出す工程(図３(ア)〜(イ))と、本機(５)が油圧シリンダ(6b)で第１ストッパ板(6a)を押し下げ、鎖(４)の金属輪の外周面にストッパ板(6a)を当接して係留索を把持し、移動機(７)の油圧シリンダ(8b)で第２ストッパ板(8a)を引き上げ、移動機(７)が移動して係留索を送り出す前の位置へ戻る工程(図３(ウ)〜(エ))を繰り返すことにより、先端に重りのついた係留索を船上から海中へ安定して送り出すことができる。
【００２５】
逆に、係留索(鎖)を海中から船上に引き上げる場合には、作動順序は図には示さないが、本機(５)が油圧シリンダ(6b)で第１ストッパ板(6a)を回動して板の先端を引き上げ、移動機(７)の油圧シリンダ(8b)で第２ストッパ板(8a)を回動して板の先端を鎖(４)の金属輪の開口面上に押し下げることで隣の金属輪の外周側面にストッパ板(8a)が当接して係留索(鎖)(４)を把持し、重りによる重力に抵抗しながら移動機(７)が移動して係留索を引き上げる工程と、本機(５)が油圧シリンダ(6b)で第１ストッパ板(6a)を押し下げ、鎖(４)の金属輪の側面にストッパ板(6a)を当接して係留索を把持し、移動機(７)の油圧シリンダ(8b)で第２ストッパ板(8a)を引き上げ、移動機(７)が移動して係留索を引き上げる前の位置へ戻る工程を繰り返すことにより、先端に重りのついた係留索を船上から海中へ引き上げることができる。
【００２６】
このように、本発明の移送装置(１)は、係留索(４)を第１把持手段(６)と第２把持手段(８)で交互の把持しながら、移動機(７)の移動により徐々に移送するため、クレーンのように高所からワイヤーで数百トンにも及ぶ相当重量の係留索あるいは重りを吊り上げて移動する必要がなく、また、海中への移送後に係留索等からワイヤーを取り外す等の作業を行う必要がない。このため作業は船上で円滑に且つ安全に行うことが可能となる。尚、重りには、海流等に抗して海底に確実に定着するための相当重量を備えたシンカーや錨形状のアンカーを適宜選択して用いることができる。
【００２７】
移動機(７)は、油圧シリンダ(10)を介して本機(５)と連結し、油圧シリンダ(10)の伸縮により、移動機が係留索を移送する方向に往復運動を繰り返す構造としてもよい。図２に示す移送装置では、本機(５)は台座(９)の上に固定され、移動機(７)は台座(９)の上を往復移動可能な移動台座(8c)の上に設置され、本機(５)と移動機(７)とは油圧シリンダ(10)で連結されている。移送装置をこのような構造とすることにより、本機、移動機及び移動機を動かすための油圧シリンダを一体として運搬し船上に設置することが容易となる。
【００２８】
図１に示すように、作業船(２)の船上に、移送装置(１)とターンテーブル(12)とを連設すれば、移送装置で送り出す又は引き上げた係留索(４)をターンテーブル上に巻いて貯蔵することができ、作業船での限られたスペースで効率的に作業を行うことができる。
【００２９】
また、作業船(２)の船縁に滑り台(11)を備えれば、係留索(４)が滑り台を経由し移送装置で送り出し又は引き上げられるため、係留索が船縁にぶつかり船体を傷つけることなく円滑に作業を行うことができる。図１では、船縁に滑り台(11)を設置した例を示したが、滑り台の代わりにジプシーホイールや係留索を通すためのチェーンパイプを設置してもよい。
【００３０】
洋上風力発電設備(13)は、発電設備を海面に浮かべるための浮体(15)と風から回転力を得るための風車(14)を備えたものであり、移送装置(１)により送り出された複数の係留索は、後端を浮体(15)に連結し、浮体の周りに放射状に配設される(図３)。このようにして洋上風力発電設備を海上に係留すると、潮の流れに拘わらず安定して海面上に設置することができる。
【符号の説明】
【００３１】
１  移送装置
２  作業船
３  重り
４  係留索(鎖)
４ａ  開口面
４ｂ  外周面
５  本機
６  第１把持手段
６ａ  第１ストッパ板
６ｂ  油圧シリンダ
７  移動機
８  第２把持手段
８ａ  第２ストッパ板
８ｂ  油圧シリンダ
８ｃ  移動台座
９  台座
１０  油圧シリンダ
１１  滑り台
１２  ターンテーブル  
１３  洋上風力発電設備
１４  風車
１５  浮体
１６  スクリュー
【図１】
2013132957.tif 000003
【図２】
2013132957.tif 000004
【図３】
2013132957.tif 000005
【図４】
2013132957.tif 000006